(57)【要約】【課題】アクティブシャッターメガネを用いた立体視のための映像信号処理装置であって、映像の表示の態様を効果的に切り替えるための映像信号処理装置を提供すること。【解決手段】映像信号処理装置１０であって、アクティブシャッターメガネ１０７を用いて映像を立体視させるための立体映像信号を取得する映像信号取得部１１と、立体映像信号を出力する出力部１２と、映像信号処理装置１０の外部からの情報の取得結果に基づいて、アクティブシャッターメガネ１０７が、アクティブシャッターメガネ１０７を介した立体視が可能な有効状態であるか否かを判定する判定部１３と、判定部１３による判定結果が、アクティブシャッターメガネ１０７が有効状態でないことを示す場合、出力部１２を制御することで、出力部１２からの出力信号を立体映像信号から、立体映像信号に関連する平面映像信号に切り替える制御部１４とを備える。【選択図】図２
2011223558.tif 000002
【特許請求の範囲】
【請求項１】
映像信号処理装置であって、
アクティブシャッターメガネを用いて映像を立体視させるための立体映像信号を取得する映像信号取得部と、
前記立体映像信号を出力する出力部と、
前記映像信号処理装置の外部からの情報の取得結果に基づいて、前記アクティブシャッターメガネが、前記アクティブシャッターメガネを介した立体視が可能な有効状態であるか否かを判定する判定部と、
前記判定部による判定結果が、前記アクティブシャッターメガネが前記有効状態でないことを示す場合、前記出力部を制御することで、前記出力部からの出力信号を前記立体映像信号から、前記立体映像信号に関連する平面映像信号に切り替える制御部と
を備える映像信号処理装置。
【請求項２】
さらに、前記映像信号処理装置の外部からの情報である、前記アクティブシャッターメガネからの所定の信号を受信可能な通信部を備え、
前記判定部は、前記通信部が前記アクティブシャッターメガネからの所定の信号を受信しない場合、アクティブシャッターメガネが前記有効状態でないと判定する
請求項１記載の映像信号処理装置。
【請求項３】
前記判定部は、前記通信部が前記所定の信号を受信しない状態が所定の期間継続した場合、前記アクティブシャッターメガネが前記有効状態でないと判定する
請求項２記載の映像信号処理装置。
【請求項４】
前記通信部は、前記アクティブシャッターメガネに問合せ信号を送信し、
前記判定部は、当該問合せ信号への応答としての前記所定の信号を前記アクティブシャッターメガネから受信しない場合、前記アクティブシャッターメガネが前記有効状態でないと判定する
請求項２記載の映像信号処理装置。
【請求項５】
さらに、前記映像信号処理装置の外部からの情報である撮像データであって、前記出力部から出力された立体映像信号に基づく映像が表示されている画面の前方を撮像することで得られた撮像データを取得する撮像データ取得部を備え、
前記判定部は、前記撮像データの解析結果に従って、前記アクティブシャッターメガネが前記有効状態であるか否かを判定する
請求項１記載の映像信号処理装置。
【請求項６】
前記制御部は、前記判定結果が、前記アクティブシャッターメガネが前記有効状態でないことを示す場合、前記出力部を制御することで、前記出力部からの出力信号を前記立体映像信号から、前記平面映像信号である、前記アクティブシャッターメガネが前記有効状態でないことに起因する状態の発生を示す情報を表示するための映像信号に切り替える
請求項１〜５のいずれか１項に記載の映像信号処理装置。
【請求項７】
交互に表示される左眼用の映像と右眼用の映像との切り替えのタイミングに同期させてユーザの左眼および右眼の視界を交互に遮る動作を行うアクティブシャッターメガネであって、
前記アクティブシャッターメガネが前記動作を行っている動作期間に、前記左眼用の映像および前記右眼用の映像の表示側の装置が受信可能な所定の信号を送信する通信部を備える
アクティブシャッターメガネ。
【請求項８】
前記通信部は、前記動作期間であって、かつ、前記表示側の装置から送信される問合せ信号を受信した場合に、前記問合せ信号への応答として前記所定の信号を送信する
請求項７記載のアクティブシャッターメガネ。
【請求項９】
さらに、前記アクティブシャッターメガネが前記ユーザに装着されている装着状態であるか否かを検出する検出部を備え、
前記通信部は、前記動作期間であって、かつ、前記検出部による検出結果が前記装着状態であることを示す場合、前記所定の信号を送信する
請求項７記載のアクティブシャッターメガネ。
【請求項１０】
さらに、前記アクティブシャッターメガネの傾き量であって、前記アクティブシャッターメガネの左右方向の、前記左眼用の映像と前記右眼用の映像とに基づく立体映像における左右方向に対する傾き量を検出する検出部を備え、
前記通信部は、前記動作期間であって、かつ、前記検出部による検出結果に示される傾き量が所定の範囲内である場合、前記所定の信号を送信する
請求項７記載のアクティブシャッターメガネ。
【請求項１１】
映像信号処理装置が実行する映像信号処理方法であって、
アクティブシャッターメガネを用いて映像を立体視させるための立体映像信号を取得する映像信号取得ステップと、
前記立体映像信号を出力する出力ステップと、
前記映像信号処理装置の外部からの情報の取得結果に基づいて、前記アクティブシャッターメガネが、前記アクティブシャッターメガネを介した立体視が可能な有効状態であるか否かを判定する判定ステップと、
前記判定ステップにおける判定結果が、前記アクティブシャッターメガネが前記有効状態でないことを示す場合、前記出力ステップにおける出力信号を前記立体映像信号から、前記立体映像信号に関連する平面映像信号に切り替える切り替えステップと
を含む映像信号処理方法。
【請求項１２】
映像信号処理装置の動作を制御するためのプログラムであって、
アクティブシャッターメガネを用いて映像を立体視させるための立体映像信号を取得する映像信号取得ステップと、
前記立体映像信号を出力する出力ステップと、
前記映像信号処理装置の外部からの情報の取得結果に基づいて、前記アクティブシャッターメガネが、前記アクティブシャッターメガネを介した立体視が可能な有効状態であるか否かを判定する判定ステップと、
前記判定ステップにおける判定結果が、前記アクティブシャッターメガネが前記有効状態でないことを示す場合、前記出力ステップにおける出力信号を前記立体映像信号から、前記立体映像信号に関連する平面映像信号に切り替える切り替えステップと
をコンピュータに実行させるためのプログラム。
【発明の詳細な説明】
【技術分野】
【０００１】
本発明は、立体映像信号を処理する映像信号処理装置に関し、特に、立体映像を構成する左右の映像信号を交互に出力し、この左右信号による映像を、アクティブシャッターメガネを用いて交互に左右眼にて視聴させる装置に用いられる映像信号処理装置に関する。
【背景技術】
【０００２】
アクティブシャッターメガネ（「液晶シャッターメガネ」とも呼ばれる。以下、単に「メガネ」とも表記する。）を用いて立体視させる従来の立体表示装置についての技術は、例えば特許文献１に記載されている。
【０００３】
特許文献１に記載の技術によれば、立体映像の再生中に、アクティブシャッターメガネの電池残量が所定量を下回った場合に、ユーザがメガネをかけている状態で、当該ユーザに明確に電池切れを認識させる。
【先行技術文献】
【特許文献】
【０００４】
【特許文献１】特開平９−９０２９２号公報
【発明の概要】
【発明が解決しようとする課題】
【０００５】
ここで、テレビ等の立体映像表示装置により立体映像が表示されている期間に、メガネの電池切れ以外にも、例えばメガネが外れる等、メガネ側になんらかの状況変化が生じたことで、ユーザが意図しない状況で立体映像を視聴する場合がある。
【０００６】
具体的には、アクティブシャッターメガネは、立体映像表示装置から送信される赤外線による同期信号を受信し、制御用の電気信号に変換することで、シャッター制御を行う。
【０００７】
また、立体映像表示装置は、メガネが同期信号を受信しているかどうかを確認することなく、同期信号を送信しつつディスプレイに立体映像を表示する。従ってユーザが装着しているメガネが外れる等、ユーザがメガネをかけていない場合においても、ユーザがメガネをかけている場合と同じまま、ディスプレイに立体映像が表示される。
【０００８】
つまり、この場合、立体映像の表示が不要な期間においてもディスプレイに左眼用の映像と右眼用の映像とが交互に表示される状態が継続する、という本来的には無駄な処理が発生するとともに、ユーザにとっては表示内容の確認が困難な状況が発生する。
【０００９】
そこで本発明は、上記従来の課題を考慮し、アクティブシャッターメガネを用いた立体視のための映像信号処理装置であって、映像の表示態様の効果的な切り替えのための映像信号処理装置およびアクティブシャッターメガネを提供することを目的とする。
【課題を解決するための手段】
【００１０】
上記課題を解決するため、本発明の一態様に係る映像信号処理装置は、映像信号処理装置であって、アクティブシャッターメガネを用いて映像を立体視させるための立体映像信号を取得する映像信号取得部と、前記立体映像信号を出力する出力部と、前記映像信号処理装置の外部からの情報の取得結果に基づいて、前記アクティブシャッターメガネが、前記アクティブシャッターメガネを介した立体視が可能な有効状態であるか否かを判定する判定部と、前記判定部による判定結果が、前記アクティブシャッターメガネが前記有効状態でないことを示す場合、前記出力部を制御することで、前記出力部からの出力信号を前記立体映像信号から、前記立体映像信号に関連する平面映像信号に切り替える制御部とを備える。
【００１１】
この構成によれば、アクティブシャッターメガネが有効状態でない場合、立体映像信号に代えて平面映像信号が出力される。すなわち、立体映像の表示が不要な状況において、立体映像信号の出力のための処理が継続されるといった非効率的な状況の発生が抑制され、かつ、ユーザに対しては明瞭に視認できる態様で情報の表示が行われる。
【００１２】
従って、本態様の映像信号処理装置によれば、映像の表示態様の効果的な切り替えを行うことができる。
【００１３】
また、本発明の一態様に係る映像信号処理装置はさらに、前記映像信号処理装置の外部からの情報である、前記アクティブシャッターメガネからの所定の信号を受信可能な通信部を備え、前記判定部は、前記通信部が前記アクティブシャッターメガネからの所定の信号を受信しない場合、アクティブシャッターメガネが前記有効状態でないと判定するとしてもよい。
【００１４】
この構成によれば、例えば、アクティブシャッターメガネの電源がオンでない場合には、アクティブシャッターメガネから所定の信号が送信されないことにより、アクティブシャッターメガネは有効状態ではないと判定される。
【００１５】
また、例えば赤外線等の指向性の高い電磁波を用いた通信方式により所定の信号が伝送される場合を想定する。この場合、当該所定の信号が送信されているか否かに関わらず、アクティブシャッターメガネが、立体映像が表示される画面の方向に向いていない場合に、アクティブシャッターメガネは有効状態ではないと判定されるように、通信部を配置することが可能である。
【００１６】
このように、本態様の映像信号処理装置では、外部からの情報の取得結果である、アクティブシャッターメガネからの所定の信号の受信の有無により、アクティブシャッターメガネが有効状態であるか否かが的確に判断される。
【００１７】
また、本発明の一態様に係る映像信号処理装置において、前記判定部は、前記通信部が前記所定の信号を受信しない状態が所定の期間継続した場合、前記アクティブシャッターメガネが前記有効状態でないと判定するとしてもよい。
【００１８】
この構成によれば、例えば、所定の信号を受信しない期間の計測という簡易な処理により、アクティブシャッターメガネが有効状態にあるか否かの判定の精度を向上させることができる。
【００１９】
また、本発明の一態様に係る映像信号処理装置において、前記通信部は、前記アクティブシャッターメガネに問合せ信号を送信し、前記判定部は、当該問合せ信号への応答としての前記所定の信号を前記アクティブシャッターメガネから受信しない場合、前記アクティブシャッターメガネが前記有効状態でないと判定するとしてもよい。
【００２０】
この構成によれば、本態様の映像信号処理装置は、必要に応じてアクティブシャッターメガネに問合せることで、アクティブシャッターメガネが有効状態にあるか否かを確認することができる。その結果、例えば、立体映像表示と平面映像表示との効果的な切替に係る処理が効率化される。
【００２１】
また、本発明の一態様に係る映像信号処理装置はさらに、前記映像信号処理装置の外部からの情報である撮像データであって、前記出力部から出力された立体映像信号に基づく映像が表示されている画面の前方を撮像することで得られた撮像データを取得する撮像データ取得部を備え、前記判定部は、前記撮像データの解析結果に従って、前記アクティブシャッターメガネが前記有効状態であるか否かを判定するとしてもよい。
【００２２】
この構成によれば、例えば、アクティブシャッターメガネが、所定の信号を送信する機能を備えていない場合であっても、当該アクティブシャッターメガネが有効状態であるか否かを判定することができる。
【００２３】
また、本発明の一態様に係る映像信号処理装置において、前記制御部は、前記判定結果が、前記アクティブシャッターメガネが前記有効状態でないことを示す場合、前記出力部を制御することで、前記出力部からの出力信号を前記立体映像信号から、前記平面映像信号である、前記アクティブシャッターメガネが前記有効状態でないことに起因する状態の発生を示す情報を表示するための映像信号に切り替えるとしてもよい。
【００２４】
この構成によれば、例えば「有効な３Ｄメガネが確認できません」または「立体映像の表示ができません」等の、アクティブシャッターメガネが有効状態でないことに起因する状態の発生を示す文字情報、もしくは、同様の内容を示す画像等を出力することができる。また、これら情報は平面映像として表示されるため、アクティブシャッターメガネが有効状態でない場合において、ユーザに明確に視認させることができる。
【００２５】
また、本発明の一態様に係るアクティブシャッターメガネは、交互に表示される左眼用の映像と右眼用の映像との切り替えのタイミングに同期させてユーザの左眼および右眼の視界を交互に遮る動作を行うアクティブシャッターメガネであって、前記アクティブシャッターメガネが前記動作を行っている動作期間に、前記左眼用の映像および前記右眼用の映像の表示側の装置が受信可能な所定の信号を送信する通信部を備える。
【００２６】
この構成によれば、アクティブシャッターメガネから動作中であることを示す所定の信号を、映像の表示側の装置（再生装置または表示装置など）に送信することができる。つまり、当該所定の信号を受信可能な表示側の装置は、当該所定の信号を受信するか否かに応じて、本態様のアクティブシャッターメガネが有効状態であるか否かを判定することができる。
【００２７】
従って、本態様のアクティブシャッターメガネによれば、上記いずれかの態様の映像信号処理装置に、映像の表示態様の効果的な切り替えを行わせることができる。
【００２８】
また、本発明の一態様に係るアクティブシャッターメガネにおいて、前記通信部は、前記動作期間であって、かつ、前記表示側の装置から送信される問合せ信号を受信した場合に、前記問合せ信号への応答として前記所定の信号を送信するとしてもよい。
【００２９】
この構成によれば、本態様のアクティブシャッターメガネは、問合せがあった場合に、その応答として所定の信号を送信することができる。その結果、例えば、立体映像表示と平面映像表示との効果的な切替に係る処理が効率化される。
【００３０】
また、本発明の一態様に係るアクティブシャッターメガネはさらに、前記アクティブシャッターメガネが前記ユーザに装着されている装着状態であるか否かを検出する検出部を備え、前記通信部は、前記動作期間であって、かつ、前記検出部による検出結果が前記装着状態であることを示す場合、前記所定の信号を送信するとしてもよい。
【００３１】
この構成によれば、アクティブシャッターメガネは、動作期間であって、かつ、ユーザに装着されている期間にのみ、所定の信号を送信することができる。つまり、映像の表示側の装置に、アクティブシャッターメガネが有効状態であるか否かを精度よく判定させることができる。
【００３２】
また、本発明の一態様に係るアクティブシャッターメガネはさらに、前記アクティブシャッターメガネの傾き量であって、前記アクティブシャッターメガネの左右方向の、前記左眼用の映像と前記右眼用の映像とに基づく立体映像における左右方向に対する傾き量を検出する検出部を備え、前記通信部は、前記動作期間であって、かつ、前記検出部による検出結果に示される傾き量が所定の範囲内である場合、前記所定の信号を送信するとしてもよい。
【００３３】
この構成によれば、例えば、ユーザがアクティブシャッターメガネを装着したまま横になった場合など、アクティブシャッターメガネが正常に動作中であっても、左右の視差を利用した立体映像が正常に視認されない場合には、所定の信号の送信を停止することができる。つまり、映像の表示側の装置に、アクティブシャッターメガネが有効状態であるか否かを精度よく判定させることができる。
【００３４】
また、本発明は、上記いずれかの態様に係る映像信号処理装置が実行する特徴的な処理を含む映像信号処理方法として実現することもできる。また、当該映像信号処理方法が含む各処理をコンピュータに実行させるためのプログラムとして実現すること、および、そのプログラムが記録された記録媒体として実現することもできる。そして、そのプログラムをインターネット等の伝送媒体又はＤＶＤ等の記録媒体を介して配信することもできる。
【００３５】
また、本発明は、上記いずれかの態様に係る映像信号処理装置の構成の一部または全部を含む集積回路として実現することもできる。
【００３６】
また、本発明は、上記いずれかの態様に係るアクティブシャッターメガネが実行する特徴的な処理を含む、アクティブシャッターメガネの制御方法として実現することもできる。また、当該制御方法が含む各処理をコンピュータに実行させるためのプログラムとして実現すること、および、そのプログラムが記録された記録媒体として実現することもできる。そして、そのプログラムをインターネット等の伝送媒体又はＤＶＤ等の記録媒体を介して配信することもできる。
【００３７】
また、本発明は、上記いずれかの態様に係るアクティブシャッターメガネの構成の一部または全部を含む集積回路として実現することもできる。
【発明の効果】
【００３８】
本発明は、アクティブシャッターメガネを利用した立体視のための映像信号処理装置であって、映像の表示態様の効果的な切り替えのための映像信号処理装置およびアクティブシャッターメガネを提供できる。
【図面の簡単な説明】
【００３９】
【図１】実施の形態１における映像表示システムの構成概要を示す図である。
【図２】実施の形態１における立体映像表示装置の基本的な機能構成を示すブロック図である。
【図３】実施の形態１における立体映像再生装置の基本的なハードウェア構成を示す図である。
【図４】実施の形態１における立体映像表示装置の基本的なハードウェア構成を示す図である。
【図５】実施の形態１におけるアクティブシャッターメガネの基本的なハードウェア構成を示す図である。
【図６】実施の形態１における立体映像表示装置による処理の流れの第１の例を示すフローチャートである。
【図７】実施の形態１における立体映像表示装置による処理の流れの第２の例を示すフローチャートである。
【図８Ａ】実施の形態１における立体映像表示装置が行う、映像の表示態様の切り替えに関する処理の流れの一例を示すフローチャートである。
【図８Ｂ】実施の形態１における立体映像再生装置が行う、映像の表示態様の切り替えに関する処理の流れの一例を示すフローチャートである。
【図９】実施の形態１における立体映像表示装置による処理の流れの第３の例を示すフローチャートである。
【図１０】実施の形態２における映像表示システム構成概要を示す図である。
【図１１】実施の形態２における立体映像再生装置の基本的な機能構成を示すブロック図である。
【図１２】実施の形態２における立体映像再生装置の基本的なハードウェア構成を示す図である。
【図１３】実施の形態２における立体映像表示装置の基本的なハードウェア構成を示す図である。
【図１４】実施の形態２における立体映像再生装置による処理の流れの一例を示すフローチャートである。
【図１５Ａ】実施の形態１および２における映像信号処理装置の機能的な構成の一例を示すブロック図である。
【図１５Ｂ】実施の形態１および２における映像信号処理装置の機能的な構成の別の一例を示すブロック図である。
【図１６】実施の形態１および２におけるアクティブシャッターメガネの機能的な構成の別の一例を示すブロック図である。
【発明を実施するための形態】
【００４０】
以下に、本発明の実施の形態について、図面を参照しながら説明する。
【００４１】
（実施の形態１）
以下、実施の形態１における映像信号処理装置を含む映像表示システムについて、図を用いて説明する。
【００４２】
図１は、実施の形態１における映像表示システム１００の構成概要を示す図である。
【００４３】
図１に示すように、映像表示システム１００において、立体映像再生装置１０１には、立体映像を表示するための立体映像表示装置１０２、サーバ１０３、光ディスク１０４、アンテナ１０５、およびメモリカード１０６が接続されている。
【００４４】
サーバ１０３は、立体映像ストリームが蓄積されているストレージサーバである。立体映像再生装置１０１とサーバ１０３とはインターネットなどの通信ネットワークを介して接続されている。サーバ１０３は、立体映像再生装置１０１からの要求により、立体映像再生装置１０１に対して立体映像ストリームを送信することができる。
【００４５】
光ディスク１０４は、立体映像ストリームが蓄積された記録メディアであり、立体映像再生装置１０１に挿入することが可能である。立体映像再生装置１０１は、ディスクドライブを介して光ディスク１０４に記録された立体映像ストリームを読み出すことが可能である。
【００４６】
アンテナ１０５は、放送局の放送装置から送出された立体映像ストリームを含む放送波を受信するための装置である。放送波はチューナーにより復調され、復調により得られる立体映像ストリームが立体映像再生装置１０１に供給される。
【００４７】
メモリカード１０６は、立体映像ストリームを蓄積した半導体メモリ、または半導体メモリを搭載した記録媒体である。メモリカード１０６は、立体映像再生装置１０１に挿入可能である。立体映像再生装置１０１は、メモリカード１０６に蓄積された映像ストリームを、メモリデバイスインタフェースを介して読み出すことができる。
【００４８】
立体映像再生装置１０１は、基本的な動作として、これらサーバ１０３等から取得した立体映像ストリームを復号し、復号により得られる立体映像信号を立体映像表示装置１０２に送信する。
【００４９】
また、ユーザは、立体映像表示装置１０２に表示された映像をアクティブシャッターメガネ１０７を介して見ることで、立体映像を視認することができる。
【００５０】
図２は、実施の形態１における立体映像表示装置１０２の基本的な機能構成を示すブロック図である。
【００５１】
図２に示すように、実施の形態１では、立体映像表示装置１０２に映像信号処理装置１０が備えられている。
【００５２】
具体的には、立体映像表示装置１０２では、映像信号処理装置１０から出力される立体映像信号または平面映像信号に基づく映像がディスプレイ３０６に表示される。
【００５３】
また、映像信号処理装置１０は、映像信号取得部１１と、出力部１２と、判定部１３と、制御部１４とを備える。
【００５４】
映像信号取得部１１は、アクティブシャッターメガネ１０７を用いて映像を立体視させるための立体映像信号を取得する。出力部１２は、立体映像信号を出力する。
【００５５】
判定部１３は、映像信号処理装置１０の外部からの情報の取得結果に基づいて、アクティブシャッターメガネ１０７が有効状態であるか否かを判定する。なお、“有効状態”とは、アクティブシャッターメガネ１０７が、アクティブシャッターメガネ１０７を介した立体視が可能な状態を指す。
【００５６】
制御部１４は、判定部１３による判定結果が、アクティブシャッターメガネ１０７が有効状態でないことを示す場合、出力部１２を制御することで、出力部１２からの出力信号を立体映像信号から、当該立体映像信号に関連する平面映像信号に切り替える。
【００５７】
つまり、映像信号処理装置１０は、基本的な動作として、立体映像再生装置１０１から取得した立体映像信号を出力する。映像信号処理装置１０はさらに、アクティブシャッターメガネ１０７が有効状態でない場合、立体映像信号から、例えば、当該立体映像信号の一部から生成される平面映像信号、または、アクティブシャッターメガネ１０７が有効状態ではないことを報知するための情報等を示す平面映像信号に切り替える。
【００５８】
その結果、立体映像表示装置１０２のディスプレイ３０６における表示態様が立体映像表示から平面映像表示に切り替わる。
【００５９】
なお、映像信号処理装置１０を構成する複数の機能ブロックの一部または全部を、１つの集積回路として実現することもできる。
【００６０】
以上説明したような基本的な動作を行う、立体映像再生装置１０１、立体映像表示装置１０２、およびアクティブシャッターメガネ１０７のハードウェア構成を、図３〜図５を用いて説明する。
【００６１】
図３は、実施の形態１における立体映像再生装置１０１の基本的なハードウェア構成を示す図である。
【００６２】
立体映像再生装置１０１は、図３に示すように、ディスクドライブ２０１、チューナー２０２、ネットワーク通信インタフェース２０３、メモリデバイスインタフェース２０４、データ伝送インタフェース２０５、バッファメモリ２０６、ＨＤ（Ｈａｒｄ  Ｄｉｓｋ）ドライブ２０７、フラッシュメモリ２０９、通信インタフェース２１０およびシステムコントローラ２０８を備える。以下、各々の構成要素による基本的な処理内容を説明する。
【００６３】
ディスクドライブ２０１は、光ピックアップなどを有し、光ディスク１０４から立体映像ストリームを読み出す。ディスクドライブ２０１は、システムコントローラ２０８と接続されており、システムコントローラ２０８からの制御に応じて、光ディスク１０４から読み出した立体映像ストリームをシステムコントローラ２０８へ送信する。
【００６４】
チューナー２０２は、アンテナ１０５で受信した放送波を復調し、放送波に含まれる立体映像ストリームをシステムコントローラ２０８へ送信する。
【００６５】
ネットワーク通信インタフェース２０３は、インターネットなどの通信ネットワークを介してサーバ１０３から送信された立体映像ストリームを受信し、システムコントローラ２０８へ送信する。
【００６６】
メモリデバイスインタフェース２０４は、立体映像再生装置１０１に挿入されたメモリカード１０６から蓄積されたデータを読み出すためのインタフェースである。メモリデバイスインタフェース２０４は、システムコントローラ２０８からの制御に応じて、メモリカード１０６から読み出した立体映像ストリームをシステムコントローラ２０８へ送信する。
【００６７】
ＨＤドライブ２０７は、磁気ディスクなどを有する記録装置であり、記録された立体映像ストリームをシステムコントローラ２０８へ送信する。
【００６８】
データ伝送インタフェース２０５は、立体映像表示装置１０２に表示させる映像を示す映像信号を、立体映像表示装置１０２へ送信するためのインタフェースである。また、データ伝送インタフェース２０５は、立体映像再生装置１０１と立体映像表示装置１０２との間での通信を可能とするインタフェースである。
【００６９】
従って、システムコントローラ２０８は、データ伝送インタフェース２０５を介して、立体映像表示装置１０２を制御することが可能である。なお、データ伝送インタフェース２０５は、立体映像表示装置１０２へ映像信号を送信可能であれば、特定の構成に限定されない。
【００７０】
バッファメモリ２０６は、システムコントローラ２０８がデータ処理および制御を行う際のワークメモリとして機能する。バッファメモリ２０６は、例えばＤＲＡＭやＳＲＡＭで実現できる。
【００７１】
フラッシュメモリ２０９は、立体映像再生装置１０１の固有情報の保持用、および、立体映像再生装置１０１の状態記憶用のメモリとして用いられる。
【００７２】
通信インタフェース２１０は、立体映像再生装置１０１に付属するリモートコントローラからの制御信号を受信する。例えば、赤外線やＢｌｕｅｔｏｏｔｈなどの通信規格に準じたインタフェースで実現できる。
【００７３】
システムコントローラ２０８は、立体映像再生装置１０１における各種のデータ処理および各部の制御を行うコントローラである。システムコントローラ２０８は、例えばマイクロプロセッサおよびハードワイヤード回路などで実現できる。
【００７４】
システムコントローラ２０８の内部には、ＣＰＵ２１１、ストリームコントローラ２１２、デコーダ２１３、ＡＶ入出力回路２１４、システムバス２１５、およびメモリコントローラ２１６が実装されている。
【００７５】
ＣＰＵ２１１は、システムコントローラ２０８が行うべき各種のデータ処理と各部の制御とを行う。システムコントローラ２０８内の各部は、ＣＰＵ２１１の制御により動作する。
【００７６】
また、ＣＰＵ２１１は、立体映像再生装置１０１に接続された外部の装置との通信も行う。ＣＰＵ２１１は、例えば、データ伝送インタフェース２０５を介して立体映像表示装置１０２との通信を行う。
【００７７】
また、ＣＰＵ２１１は、ディスクドライブ２０１、チューナー２０２、ネットワーク通信インタフェース２０３、およびメモリデバイスインタフェース２０４を制御し、光ディスク１０４、アンテナ１０５、メモリカード１０６、およびサーバ１０３から立体映像ストリームを取得する。
【００７８】
ストリームコントローラ２１２は、ディスクドライブ２０１、チューナー２０２、ネットワーク通信インタフェース２０３、メモリデバイスインタフェース２０４、およびＨＤドライブ２０７から転送される立体映像ストリームを、システムバス２１５に接続された各部へ転送する。例えば、ネットワーク通信インタフェース２０３から転送される立体映像ストリームをバッファメモリ２０６へ転送する。
【００７９】
メモリコントローラ２１６は、システムバス２１５に接続された各部から転送されるデータを、バッファメモリ２０６またはフラッシュメモリ２０９に書き込む。また、メモリコントローラ２１６は、バッファメモリ２０６またはフラッシュメモリ２０９に記録されたデータを、システムバス２１５に接続された各部へ転送する。
【００８０】
デコーダ２１３は、立体映像ストリームを復号し、立体映像表示装置１０２に表示させる映像を生成する。
【００８１】
ＡＶ入出力回路２１４は、立体映像表示装置１０２に表示させる映像に、字幕などの副映像を重畳する。これにより、データ伝送インタフェース２０５を介して立体映像表示装置１０２に送信される立体映像信号または平面映像信号が生成される。
【００８２】
図４は、実施の形態１における立体映像表示装置１０２の基本的なハードウェア構成を示す図である。
【００８３】
立体映像表示装置１０２は、液晶ディスプレイ、プラズマディスプレイ、または、有機ＥＬディスプレイ等であるディスプレイ３０６を備え、映像を表示する装置である。
【００８４】
立体映像表示装置１０２は、立体映像再生装置１０１から送信された映像信号に示される映像を表示可能である。立体映像表示装置１０２は、通信インタフェース３０３によりアクティブシャッターメガネ１０７と通信することができる。
【００８５】
具体的には、立体映像表示装置１０２は、図４に示すように、データ伝送インタフェース３０１、コントローラ３０２、メモリインタフェース３０４、通信インタフェース３０３、メモリ３０５、およびディスプレイ３０６を備える。
【００８６】
データ伝送インタフェース３０１は、立体映像再生装置１０１とデータの送受信を行うためのインタフェースである。データ伝送インタフェース３０１は、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）コネクタなどで実現できる。
【００８７】
なお、データ伝送インタフェース３０１は、図２に示す映像信号取得部１１による処理を実現する構成要素の一例である。
【００８８】
コントローラ３０２は、立体映像表示装置１０２と立体映像再生装置１０１との間のデータの送受信の制御、通信インタフェース３０３を介した通信、メモリ３０５に格納された立体映像信号の処理、およびディスプレイ３０６への出画制御などを行う。コントローラ３０２は、例えばマイクロプロセッサなどで実現できる。
【００８９】
なお、コントローラ３０２は、図２に示す出力部１２、判定部１３および制御部１４による処理を実現する構成要素の一例である。
【００９０】
通信インタフェース３０３は、アクティブシャッターメガネ１０７と通信を行うためのインタフェースである。通信インタフェース３０３は、例えば赤外線通信またはＢｌｕｅｔｏｏｔｈなどの通信規格に準じたインタフェースで実現できる。
【００９１】
具体的には、通信インタフェース３０３は、コントローラ３０２の制御に応じて、アクティブシャッターメガネ１０７に同期信号を送信する。この同期信号により、ディスプレイ３０６に交互に表示される左眼用映像と右眼用映像との切り替えのタイミングと、アクティブシャッターメガネ１０７における、ユーザの左眼および右眼の視界を交互に遮るタイミングとが同期される。その結果、当該ユーザは立体映像を視認することができる。
【００９２】
また、本実施の形態では、通信インタフェース３０３は、アクティブシャッターメガネ１０７からの所定の信号を受信することができる。コントローラ３０２は、通信インタフェース３０３がアクティブシャッターメガネ１０７からの所定の信号を受信するか否かに応じて、アクティブシャッターメガネ１０７が有効状態であるか否かを判定することができる。
【００９３】
なお、通信インタフェース３０３は、立体映像表示装置１０２に付属するリモートコントローラからの信号も受信することができる。
【００９４】
図５は、実施の形態１におけるアクティブシャッターメガネ１０７の基本的なハードウェア構成を示す図である。
【００９５】
アクティブシャッターメガネ１０７は、図５に示すように、通信インタフェース４０１、システムコントローラ４０３、アクティブシャッタードライブ回路４０４、およびアクティブシャッター４０５を備える。
【００９６】
通信インタフェース４０１は、映像の表示側の装置とデータ通信を行うためのインタフェースである。通信インタフェース４０１は、例えば赤外線やＢｌｕｅｔｏｏｔｈなどの通信規格に準じたインタフェースで実現できる。
【００９７】
本実施の形態では、通信インタフェース４０１は、立体映像表示装置１０２とデータ通信を行う。具体的には、通信インタフェース４０１は、立体映像表示装置１０２から同期信号を受信することができ、かつ、アクティブシャッターメガネ１０７が下記の液晶シャッターの開閉動作を行っている動作期間に、立体映像表示装置１０２が受信可能な所定の信号を送信することができる。
【００９８】
アクティブシャッター４０５は、ユーザの左右何れかまたは両方の視界を遮る装置である。アクティブシャッター４０５は、例えば液晶シャッターなどで実現できる。
【００９９】
システムコントローラ４０３は、通信インタフェース４０１を用いて立体映像表示装置１０２と通信を行う。また、システムコントローラ４０３は、立体映像表示装置１０２から送信される同期信号に従いアクティブシャッタードライブ回路４０４を介してアクティブシャッター４０５の開閉制御を行う。システムコントローラ４０３は、例えばマイクロプロセッサなどで実現できる。
【０１００】
以上説明した構成を有する映像表示システム１００による基本的な処理の流れを以下に説明する。
【０１０１】
立体映像再生装置１０１は、立体映像表示装置１０２との接続時に、立体映像表示装置１０２から、立体映像表示可否情報、および、表示可能な画面サイズなどの情報を取得する。立体映像再生装置１０１は取得した情報をバッファメモリ２０６に格納する。
【０１０２】
システムコントローラ２０８は、例えば、ディスクドライブ２０１に挿入された光ディスク１０４から読み出した立体映像ストリームを、システムバス２１５を経由してメモリコントローラ２１６へ転送する。
【０１０３】
メモリコントローラ２１６は転送された立体映像ストリームをバッファメモリ２０６へ格納する。システムコントローラ２０８は、バッファメモリ２０６からデコーダ２１３へ、立体映像ストリームを転送する。また、デコーダ２１３からバッファメモリ２０６へ、復号された立体映像信号を転送する。
【０１０４】
これにより立体映像表示装置１０２に表示させる立体映像信号がバッファメモリ２０６に格納される。立体映像信号には、ユーザの左眼のみに投影する映像信号と、右眼のみに投影する映像信号が含まれる。
【０１０５】
立体映像再生装置１０１は、立体映像表示装置１０２との接続時に取得した立体映像表示可否情報が、立体映像の表示が可能であることを示す場合、すべての立体映像信号を、データ伝送インタフェース２０５を経由して、立体映像表示装置１０２へ送信する。
【０１０６】
立体映像表示装置１０２のコントローラ３０２は、データ伝送インタフェース３０１が立体映像再生装置１０１から受信した立体映像信号を、メモリインタフェース３０４へ転送する。
【０１０７】
メモリインタフェース３０４は、転送された立体映像信号をメモリ３０５に格納する。これにより、メモリ３０５には、当該立体映像信号に示される左眼用映像と右眼用映像とが格納される。
【０１０８】
コントローラ３０２は、ユーザによるディスプレイ３０６の表示設定に従い、データ転送を行う。具体的には、立体映像表示設定が有効である場合は、コントローラ３０２は、メモリ３０５に格納された、左眼用映像および右眼用映像のすべてを、ディスプレイ３０６へ転送する。
【０１０９】
同時に、コントローラ３０２は、通信インタフェース３０３を経由して、アクティブシャッターメガネ１０７に対して、ユーザの左眼に投影すべき映像（左眼用映像）をディスプレイ３０６に表示している場合には、右眼の視界を遮るように要求し、また、ユーザの右眼に投影すべき映像（右眼用映像）をディスプレイ３０６に表示している場合には、左眼視野を遮るように要求する。
【０１１０】
つまり、当該要求を示す同期信号が通信インタフェース３０３からアクティブシャッターメガネ１０７に送信される。
【０１１１】
なお、立体映像表示設定が有効か否かについては、ユーザによるディスプレイ３０６の表示設定に依存しなくてもよい。例えば、立体映像再生装置１０１からの要求に基づいて、立体映像表示装置１０２における立体映像表示設定が有効か否かを判定してもよい。
【０１１２】
アクティブシャッターメガネ１０７のシステムコントローラ４０３は、通信インタフェース４０１を経由して、立体映像表示装置１０２から、ユーザの左眼または右眼、もしくは双方の視界を遮断する要求を示す同期信号を受信する。システムコントローラ４０３は、その同期信号に従い、アクティブシャッタードライブ回路４０４を制御し、右眼用および左眼用のそれぞれのアクティブシャッター４０５の開閉を行う。
【０１１３】
一連の動作により、アクティブシャッターメガネ１０７を装着したユーザは、左眼および右眼の視差の分だけ異なった左眼用映像と右眼用映像とを、左眼と右眼とでほぼ同時に見ることにより、立体映像を視認することができる。
【０１１４】
ここで、ユーザがアクティブシャッターメガネ１０７を装着してない場合など、立体映像表示装置１０２のディスプレイ３０６が立体映像を表示しているにも関わらず、ユーザの左眼または右眼の視界を適切なタイミングで遮る事が不可能な状態を想定する。
【０１１５】
この場合、ユーザは左眼または右眼のみに投影されるべき映像を左右双方の眼で視認する事となり、結果として明瞭な映像を視認することができないという問題が発生する。
【０１１６】
実施の形態１における映像表示システム１００は、このような問題の発生を抑制することができる。
【０１１７】
当該問題の発生を抑制するための立体映像表示装置１０２による具体的な処理内容を、図６を用いて説明する。
【０１１８】
図６は、実施の形態１における立体映像表示装置１０２による処理の流れの第１の例を示すフローチャートである。
【０１１９】
立体映像表示装置１０２は、通信インタフェース３０３を介して、有効なアクティブシャッターメガネ１０７の存在の有無を判定する。例えば、１つのアクティブシャッターメガネ１０７のみが判定対象である場合、このアクティブシャッターメガネ１０７が有効状態であるか否かを判定する（Ｓ５０１）。
【０１２０】
本実施の形態では、立体映像表示装置１０２のコントローラ３０２は、アクティブシャッターメガネ１０７の通信インタフェース４０１から赤外線等の片方向通信によって一定期間毎に送信される所定の信号を、通信インタフェース３０３が当該一定期間毎に受信するか否かによって、当該アクティブシャッターメガネ１０７が有効状態であるか否かを判定する。
【０１２１】
例えば、コントローラ３０２は、通信インタフェース３０３が所定の信号を受信しない状態が所定の期間継続した場合、アクティブシャッターメガネ１０７が有効状態でないと判定する。
【０１２２】
つまり、アクティブシャッターメガネ１０７の電源がオフの場合、または、アクティブシャッターメガネ１０７が画面（ディスプレイ３０６）の方を向いておらず、赤外線により伝送される所定の信号が通信インタフェース３０３に到達しない場合などは、アクティブシャッターメガネ１０７は有効状態でないと判定される。
【０１２３】
なお、当該判定の手法は上記手法に限定されない。例えば、立体映像表示装置１０２の通信インタフェース３０３およびアクティブシャッターメガネ１０７の通信インタフェース４０１としてＢｌｕｅｔｏｏｔｈなどの双方向通信装置を採用した場合を想定する。
【０１２４】
この場合、通信インタフェース３０３から通信インタフェース４０１に問合せ信号を送信することで、通信インタフェース４０１に当該問合せ信号への応答としての所定の信号を返信させることができる。
【０１２５】
つまり、立体映像表示装置１０２は、必要に応じたタイミングでアクティブシャッターメガネ１０７に問い合わせを行い、当該問い合わせに対する応答がない場合に、アクティブシャッターメガネ１０７が有効状態でないと判定することができる。
【０１２６】
立体映像表示装置１０２は、有効状態であるアクティブシャッターメガネ１０７（以下、単に「有効なアクティブシャッターメガネ１０７」とも表記する。）の存在が確認できた場合（Ｓ５０１でＹ）、立体映像表示を継続する（Ｓ５０５）。存在が確認できない場合（Ｓ５０１でＮ）、コントローラ３０２は、ディスプレイ３０６の表示更新周期（図では“Ｆｓ”と表記）を０．５倍に変更する（Ｓ５０２）。
【０１２７】
例えば、一秒あたり２４コマの映画コンテンツをディスプレイ３０６に表示している場合は、左眼用映像と右眼用映像とを一秒あたり２４回ずつ交互に表示する必要がある。そのため、ディスプレイ３０６の表示更新周期は４８Ｈｚである。しかし、有効なアクティブシャッターメガネ１０７が検知できない場合、コントローラ３０２は、当該表示更新周期を２４Ｈｚに変更する。
【０１２８】
同時に、コントローラ３０２は、メモリ３０５に格納された左眼用映像と右眼用映像の内、左眼用映像または右眼用映像のみをディスプレイ３０６へ転送する制御を行う（Ｓ５０３）。
【０１２９】
これにより、ユーザは、左眼用映像のみ、または右眼用映像のみの平面（２Ｄ）映像を、アクティブシャッターメガネ１０７を装着しない場合と同様に、左右双方の眼で視聴することができる（Ｓ５０４）。
【０１３０】
つまり、ユーザが意図するか意図しないかに関わらず、例えばユーザからアクティブシャッターメガネ１０７が外されたことで、アクティブシャッターメガネ１０７から赤外線により送信される所定の信号を、立体映像表示装置１０２の通信インタフェース３０３が受信しない場合、ディスプレイ３０６における映像の表示態様が立体から平面に切り替えられる。
【０１３１】
また、例えば、アクティブシャッターメガネ１０７が電池切れにより、アクティブシャッター４０５が開閉動作を停止した場合も、同様である。つまり、立体映像表示装置１０２の通信インタフェース３０３がアクティブシャッターメガネ１０７からの所定の信号を受信しないため、ディスプレイ３０６では立体映像の表示から平面映像の表示に切り替えられる。
【０１３２】
なお、アクティブシャッターメガネ１０７は、有効状態か否かに関与する情報を検出する検出部を備え、検出部の検出結果に応じて所定の信号を送信するか否かを決定してもよい。このような検出部については、図１６を用いて後述する。
【０１３３】
図７は、実施の形態１における立体映像表示装置１０２による処理の流れの第２の例を示すフローチャートである。
【０１３４】
なお、図７におけるＳ５０１からＳ５０４までの各処理内容は、図６で説明した内容と同様である。
【０１３５】
ここで、ユーザのアクティブシャッターメガネ１０７の装着忘れ、または、ユーザの意図しないアクティブシャッターメガネ１０７の電池切れなどに起因して、アクティブシャッターメガネ１０７が有効ではないと判定されることが考えられる。
【０１３６】
そこで、平面映像表示への切り替え（Ｓ５０４）以降に、コントローラ３０２は、ディスプレイ３０６に表示している映像に、アクティブシャッターメガネ１０７が有効状態でないことに起因する状態の発生を示す警告メッセージを重ねて表示（Ｓ６０１）する。
【０１３７】
なお、当該警告メッセージは、当該立体映像信号に関連する平面映像信号に基づく映像の一例であり、例えば制御部１４として機能するコントローラ３０２によって生成される。また、当該警告メッセージの内容としては、「有効なアクティブシャッターメガネが確認できません」、「３Ｄ映像の表示を停止しました」などの文字情報が例示される。
【０１３８】
また、コントローラ３０２は、ディスプレイ３０６における平面映像（警告メッセージを除く）の表示を停止させる（Ｓ６０２）。
【０１３９】
また、警告メッセージが表示されてから所定の期間が経過した場合に、警告メッセージを含む平面映像の表示を停止してもよい。
【０１４０】
また、コントローラ３０２は、表示映像のソース機器である立体映像再生装置１０１に、立体映像信号の転送の停止を指示することで、ディスプレイ３０６における映像の表示を停止してもよい。
【０１４１】
例えば、立体映像表示装置１０２は、データ伝送インタフェース３０１を経由して、立体映像再生装置１０１に再生の一時停止を要求する。一時停止要求を受信した立体映像再生装置１０１のシステムコントローラ２０８は、立体映像ストリームの送信元からメモリコントローラ２１６への立体映像ストリームの転送を中断する。
【０１４２】
システムコントローラ２０８はさらに、メモリコントローラ２１６からデコーダ２１３への立体映像ストリームの転送を中断する、または、メモリコントローラ２１６からデータ伝送インタフェース２０５への立体映像信号の転送を中断する。
【０１４３】
これにより、ディスプレイ３０６における、警告メッセージ以外の映像の表示が停止される。
【０１４４】
また、警告メッセージが立体映像再生装置１０１によって生成されてもよい。
【０１４５】
具体的には、平面映像表示への切り替え（Ｓ５０４）のあと、立体映像表示装置１０２は、データ伝送インタフェース３０１を経由して、立体映像再生装置１０１に再生の一時停止を要求する。この一時停止要求を受信した立体映像再生装置１０１は、バッファメモリ２０６に格納している立体映像に、アクティブシャッターメガネ１０７が有効状態でないことに起因する状態の発生を示す警告メッセージが重ねて表示されるように立体映像信号を生成する（Ｓ６０１）。
【０１４６】
この場合、立体映像表示装置１０２は、警告メッセージを含む立体映像信号を受信し、当該立体映像信号に示される左眼用映像または右眼用映像の一方のみをディスプレイ３０６に表示する。つまり、警告メッセージを含む平面映像がディスプレイ３０６に表示される。
【０１４７】
その後、例えば、所定の期間の経過後、システムコントローラ２０８は、立体映像ストリームの送信元からメモリコントローラ２１６への立体映像ストリームの転送を中断し、かつ、メモリコントローラ２１６からデコーダ２１３への立体映像ストリームの転送、または、メモリコントローラ２１６からデータ伝送インタフェース２０５への立体映像信号の転送を中断してもよい。
【０１４８】
この場合、ディスプレイ３０６では、警告メッセージを含む映像表示の全てが停止される。
【０１４９】
なお、アクティブシャッターメガネ１０７が有効状態でないことに起因する状態の発生を示す警告は、立体映像信号の一部から生成される平面映像に重ねて表示する以外の方法でユーザに報知されてもよい。例えば、図示されていないが、立体映像再生装置１０１または立体映像表示装置１０２が有する表示灯の明滅、または、スピーカーからの音声などにより当該警告をユーザに報知してもよい。
【０１５０】
また、有効なアクティブシャッターメガネ１０７が確認できない場合に、立体映像表示から平面映像表示に切り替えるための手法は、図６および図７に示される手法に限定されない。
【０１５１】
例えば、図８Ａまたは図８Ｂに示す処理の流れにより、立体映像表示から平面映像表示に切り替えてもよい。
【０１５２】
図８Ａは、実施の形態１における立体映像表示装置１０２が行う、映像の表示態様の切り替えに関する処理の流れの一例を示すフローチャートである。
【０１５３】
図８Ｂは、実施の形態１における立体映像再生装置１０１が行う、映像の表示態様の切り替えに関する処理の流れの一例を示すフローチャートである。
【０１５４】
図８Ａに示すように、立体映像表示装置１０２のコントローラ３０２は、アクティブシャッターメガネ１０７が有効か否かの判定処理（Ｓ５０１）の結果、有効なアクティブシャッターメガネ１０７が確認できた場合（Ｓ５０１でＹ）、立体映像表示を継続させる（Ｓ５０５）。ここまでは、図６で説明した内容と同様である。
【０１５５】
また、立体映像表示装置１０２のコントローラ３０２は、有効なアクティブシャッターメガネ１０７の存在が確認できない場合（Ｓ５０１でＮ）、データ伝送インタフェース３０１を一度切断状態にした後、再度接続状態にする制御を行う（Ｓ７０２）。
【０１５６】
また、立体映像表示装置１０２が立体映像再生装置１０１に再接続した場合、立体映像再生装置１０１は、立体映像表示装置１０２に対して、立体映像表示可否情報を要求する。立体映像表示装置１０２は、当該要求に対し、立体映像表示が不可であることを示す情報を応答する。
【０１５７】
その結果、当該再接続の後に、図８Ｂに示すように、立体映像再生装置１０１は、立体映像表示装置１０２から当該情報を取得する（Ｓ７０４）。
【０１５８】
立体映像再生装置１０１のシステムコントローラ２０８は、データ伝送インタフェース２０５から平面映像信号を送信する（Ｓ７０５）。具体的には、システムコントローラ２０８は、デコーダ２１３に対して、立体映像ストリームから左眼用映像または右眼用映像のみを復号するよう設定変更する。
【０１５９】
または、システムコントローラ２０８は、デコーダ２１３が左右双方の映像を復号する設定は変更せず、左右双方の映像が格納されているバッファメモリ２０６からデータ伝送インタフェース２０５へのデータ転送設定を、右眼用映像のみ、または左眼用映像のみを転送するように変更する。
【０１６０】
これにより、ユーザは、左眼用映像のみ、または右眼用映像のみの平面（２Ｄ）映像を、アクティブシャッターメガネ１０７を装着しない場合と同様に、左右双方の眼で視聴することができる。
【０１６１】
また、有効なアクティブシャッターメガネ１０７が確認できない場合における、立体映像表示から平面映像表示への切り替えは、図９に示す処理の流れにより実行されてもよい
図９は、実施の形態１における立体映像表示装置１０２による処理の流れの第３の例を示すフローチャートである。
【０１６２】
図９に示すように、立体映像表示装置１０２のコントローラ３０２は、アクティブシャッターメガネ１０７が有効か否かの判定処理（Ｓ５０１）の結果、有効なアクティブシャッターメガネ１０７が確認できた場合（Ｓ５０１でＹ）、立体映像表示を継続させる（Ｓ５０５）。ここまでは、図６で説明した内容と同様である。
【０１６３】
また、立体映像表示装置１０２のコントローラ３０２は、有効なアクティブシャッターメガネ１０７の存在が確認できない場合（Ｓ５０１でＮ）、メモリ３０５に格納された左眼用映像と右眼用映像の内、左眼用映像のみ、または右眼用映像のみ２回ずつ繰り返してディスプレイ３０６へ転送する制御を行う（Ｓ９０３）。
【０１６４】
例えば、一秒あたり２４コマの映画コンテンツを再生している場合には、左眼用映像と右眼用映像とを一秒あたり２４回ずつ表示する必要がある。そのため、立体映像表示が行われる場合、メモリ３０５に格納された左眼用映像（Ｌ１、Ｌ２、Ｌ３、．．．）と右眼用映像（Ｒ１、Ｒ２、Ｒ３、．．．）とが、Ｌ１、Ｒ１、Ｌ２、Ｒ２、．．．というように転送される。
【０１６５】
しかし、有効なアクティブシャッターメガネ１０７が確認さない場合、左眼用映像のみが、Ｌ１、Ｌ１、Ｌ２、Ｌ２、Ｌ３、．．．という順序で転送されるための制御、または、または右眼用映像のみが、Ｒ１、Ｒ１、Ｒ２、Ｒ２、Ｒ３、Ｒ３、．．．という順序で転送されるための制御に変更される。
【０１６６】
これにより、ユーザは、左眼用映像のみ、または右眼用映像のみの平面（２Ｄ）映像を、アクティブシャッターメガネ１０７を装着しない場合と同様に、左右双方の眼で視聴することができる（Ｓ９０４）。
【０１６７】
なお、この後、図９に示すように、警告の表示（Ｓ６０１）と映像の表示の停止（Ｓ６０２）とが実行されてもよい。すなわち、図７に示す内容と同様に、アクティブシャッターメガネ１０７が有効状態でないことに起因する状態の発生を示す警告メッセージの表示（Ｓ６０１）と、警告メッセージ以外の平面映像、または、警告メッセージを含む平面映像の表示の停止（Ｓ６０２）とが実行されてもよい。
【０１６８】
（実施の形態２）
以下、実施の形態２における立体映像再生装置８０１および立体映像表示装置８０２を備える映像表示システム８００について図を用いて説明する。
【０１６９】
図１０は、実施の形態２における映像表示システム８００の構成概要を示す図である。
【０１７０】
なお、図１０および後述する各図において、実施の形態１と共通する構成要素については同一の符号を付し、それらについての詳細な説明は省略する。
【０１７１】
図１０に示すように、映像表示システム８００において、立体映像再生装置８０１には、立体映像を表示するための立体映像表示装置８０２、サーバ１０３、光ディスク１０４、アンテナ１０５、およびメモリカード１０６が接続されている。
【０１７２】
すなわち、映像表示システム８００の全体的な構成は、実施の形態１における映像表示システム１００と同じである。また、サーバ１０３等から取得された立体映像ストリームが立体映像再生装置８０１によって復号され、この復号によって得られる立体映像が立体映像表示装置８０２に表示される点も実施の形態１と同様である。さらに、ユーザがアクティブシャッターメガネ１０７を介して立体映像を視認する点も実施の形態１と同様である。
【０１７３】
しかし、実施の形態２では、アクティブシャッターメガネ１０７が有効であるか否かの判定等を行う映像信号処理装置１０が、立体映像表示装置８０２ではなく、立体映像再生装置８０１に備えられている点で実施の形態１とは異なる。そこで、当該相違点を中心に以下の説明を行う。
【０１７４】
図１１は、実施の形態２における立体映像再生装置８０１の基本的な機能構成を示すブロック図である。
【０１７５】
図１１に示すように、実施の形態２では、立体映像再生装置８０１に映像信号処理装置１０が備えられている。
【０１７６】
実施の形態２における映像信号処理装置１０では、映像信号取得部１１が、サーバ１０３等から立体映像信号を含む映像ストリームを取得する。また、出力部１２は、立体映像信号または平面映像信号を、立体映像表示装置８０２に出力する。
【０１７７】
また、判定部１３および制御部１４の動作は、実施の形態１と同様である。すなわち、判定部１３は、映像信号処理装置１０の外部からの情報の取得結果に基づいて、アクティブシャッターメガネ１０７が有効状態であるか否かを判定する。
【０１７８】
制御部１４は、判定部１３による判定結果が、アクティブシャッターメガネ１０７が有効状態でないことを示す場合、出力部１２を制御することで、出力部１２からの出力信号を立体映像信号から、当該立体映像信号に関連する平面映像信号に切り替える。
【０１７９】
その結果、立体映像表示装置１０２のディスプレイ３０６における表示内容が当該立体映像から当該平面映像に切り替わる。
【０１８０】
以上説明したような基本的な動作を行う、立体映像再生装置８０１および立体映像表示装置８０２のハードウェア構成を、実施の形態１の立体映像再生装置１０１および立体映像表示装置１０２との差異を中心に、図１２および図１３を用いて説明する。
【０１８１】
図１２は、実施の形態２における立体映像再生装置８０１の基本的なハードウェア構成を示す図である。
【０１８２】
立体映像再生装置８０１は、図１２に示すように、実施の形態１における立体映像再生装置１０１と同様のハードウェア構成を有している。
【０１８３】
しかしながら、システムコントローラ９０８が、映像信号処理装置１０として機能する点が、実施の形態１におけるシステムコントローラ２０８とは異なる。
【０１８４】
具体的には、ストリームコントローラ２１２は、図１１に示す映像信号取得部１１による処理を実現する構成要素の一例である。
【０１８５】
また、ＡＶ入出力回路２１４は、図１１に示す出力部１２による処理を実現する構成要素の一例である。
【０１８６】
また、ＣＰＵ２１１は、図１１に示す判定部１３および制御部１４による処理を実現する構成要素の一例である。
【０１８７】
また、通信インタフェース９０１は、実施の形態１における通信インタフェース２１０と同様に、立体映像再生装置８０１に付属するリモートコントローラからの制御信号を受信する。
【０１８８】
通信インタフェース９０１はさらに、アクティブシャッターメガネ１０７から、赤外線またはＢｌｕｅｔｏｏｔｈにより送信される所定の信号を受信することができる。なお、通信インタフェース９０１は、立体映像表示装置８０２を介して、アクティブシャッターメガネ１０７から送信される所定の信号を受信してもよい。
【０１８９】
つまり、実施の形態２では、通信インタフェース９０１が、アクティブシャッターメガネ１０７からの所定の信号を受信したか否かに応じて、ＣＰＵ２１１が、アクティブシャッターメガネ１０７が有効であるか否かを判定する。
【０１９０】
例えば、ＣＰＵ２１１は、通信インタフェース９０１が所定の信号を受信しない状態が所定の期間継続した場合、アクティブシャッターメガネ１０７が有効状態でないと判定する。
【０１９１】
また、この判定手法は、実施の形態１と同様に、上記手法に限定されない。例えば、通信インタフェース９０１からの問合せ信号への応答としての所定の信号を、アクティブシャッターメガネ１０７から受信しない場合に、アクティブシャッターメガネ１０７が有効状態でないと判定してもよい。
【０１９２】
その他、立体映像再生装置８０１が実行する立体映像信号の生成に関する基本的な処理は、実施の形態１の立体映像再生装置１０１と同様であるため、ここでの説明は省略する。
【０１９３】
図１３は、実施の形態２における立体映像表示装置８０２の基本的なハードウェア構成を示す図である。
【０１９４】
実施の形態２における立体映像表示装置８０２は、実施の形態１における立体映像表示装置１０２と基本的なハードウェア構成は同じである。すなわち、立体映像表示装置８０２は、液晶ディスプレイ、プラズマディスプレイ、または、有機ＥＬディスプレイ等のディスプレイ１００６を備え、映像を表示する装置である。
【０１９５】
また、立体映像表示装置８０２は、立体映像再生装置８０１から送信された映像信号に示される映像を表示可能である。
【０１９６】
また、ディスプレイ１００６に表示された立体映像は、アクティブシャッターメガネ１０７を介することで立体視される。
【０１９７】
立体映像表示装置８０２は、通信インタフェース１００３によりアクティブシャッターメガネ１０７と通信することができる。ここで、実施の形態２では、上述のように、アクティブシャッターメガネ１０７が有効か否かの判定は、立体映像再生装置８０１が行うため、立体映像再生装置８０１がアクティブシャッターメガネ１０７からの所定の信号を受信する機能を有している。
【０１９８】
そのため、立体映像表示装置８０２の通信インタフェース１００３は、アクティブシャッターメガネ１０７からの所定の信号を受信する機能を有する必要がない。従って、通信インタフェース１００３は、例えば、立体映像表示装置８０２に付属するリモートコントローラからの信号を受信する機能のみを有している。
【０１９９】
また、データ伝送インタフェース１００１およびコントローラ１００２は、映像信号処理装置１０としての処理を実行する必要がない点で、実施の形態１におけるデータ伝送インタフェース３０１およびコントローラ３０２と異なる。
【０２００】
その他、立体映像表示装置８０２が実行する映像の表示に関する基本的な処理は、実施の形態１の立体映像表示装置１０２と同様であるため、ここでの説明は省略する。
【０２０１】
また、実施の形態２におけるアクティブシャッターメガネ１０７の基本的なハードウェア構成は、実施の形態１におけるアクティブシャッターメガネ１０７と同様であり、アクティブシャッターメガネ１０７の動作期間に所定の信号を送信するための構成を有する。従って、アクティブシャッターメガネ１０７の基本的なハードウェア構成についてはここでの説明を省略する。
【０２０２】
また、映像表示システム８００による、立体映像の表示に関する基本的な処理の流れは、実施の形態１と同様である。
【０２０３】
すなわち、立体映像再生装置８０１は、立体映像表示装置８０２との接続時に取得した、立体映像表示可否情報、および、表示可能な画面サイズなどの情報に従って、立体映像信号を生成し、立体映像表示装置８０２へ送信する。
【０２０４】
立体映像信号を受信した立体映像表示装置８０２は、例えばユーザまたは立体映像再生装置８０１等からの要求に応じた表示設定を確認し、立体映像表示設定が有効である場合、左眼用映像および右眼用映像のすべてをディスプレイ１００６に表示する。また、この場合、立体映像表示装置８０２は、ディスプレイ１００６での左眼用映像および右眼用映像の切り替えのタイミングと、アクティブシャッター４０５の開閉のタイミングとが同期するように、アクティブシャッターメガネ１０７に同期信号を送信する。
【０２０５】
アクティブシャッターメガネ１０７は、受信する同期信号に従って、左眼の視界と右眼の視界とが交互に遮られるように、アクティブシャッター４０５の開閉を行う。
【０２０６】
一連の動作により、アクティブシャッターメガネ１０７を装着したユーザは、左眼および右眼の視差の分だけ異なった左眼用映像と右眼用映像とを、左眼と右眼とでほぼ同時に見ることにより、立体映像を視認することができる。
【０２０７】
ここで、ユーザがアクティブシャッターメガネ１０７を装着してない場合など、立体映像表示装置８０２のディスプレイ１００６が立体映像データを表示しているにも関わらず、ユーザの左眼または右眼視野を適切なタイミングで遮る事が不可能な状態を想定する。
【０２０８】
この場合、ユーザは左眼または右眼のみに投影されるべき映像を左右双方の眼で視聴する事となり、結果として明瞭な映像を視聴することができないという問題が発生する。
【０２０９】
実施の形態２における映像表示システム８００は、実施の形態１の映像表示システム１００と同じく、このような問題の発生を抑制することができる。
【０２１０】
当該問題の発生を抑制するための立体映像再生装置８０１による具体的な処理内容を、図１４を用いて説明する。
【０２１１】
図１４は、実施の形態２における立体映像再生装置８０１による処理の流れの一例を示すフローチャートである。
【０２１２】
立体映像再生装置８０１は、通信インタフェース９０１を経由して、有効なアクティブシャッターメガネ１０７の存在の有無を判定する。例えば、１つのアクティブシャッターメガネ１０７のみが判定対象である場合、このアクティブシャッターメガネ１０７が有効状態であるか否かを判定する（Ｓ１１０１）。
【０２１３】
本実施の形態では、立体映像再生装置８０１のシステムコントローラ９０８は、アクティブシャッターメガネ１０７の通信インタフェース４０１から赤外線等の片方向通信によって一定期間毎に送信される所定の信号を、通信インタフェース９０１が当該一定期間毎に受信するか否かによって、当該アクティブシャッターメガネ１０７が有効状態であるか否かを判定する。
【０２１４】
例えば、システムコントローラ９０８は、通信インタフェース９０１が所定の信号を受信しない状態が所定の期間継続した場合、アクティブシャッターメガネ１０７が有効状態でないと判定する。
【０２１５】
なお、当該判定の手法は上記手法に限定されない。例えば、立体映像再生装置８０１の通信インタフェース９０１およびアクティブシャッターメガネ１０７の通信インタフェース４０１としてＢｌｕｅｔｏｏｔｈなどの双方向通信装置とを採用した場合を想定する。
【０２１６】
この場合、通信インタフェース９０１から通信インタフェース４０１に問合せ信号を送信することで、通信インタフェース４０１に当該問合せ信号への応答としての所定の信号を返信させることができる。
【０２１７】
つまり、立体映像再生装置８０１は、必要に応じたタイミングでアクティブシャッターメガネ１０７に問い合わせを行い、当該問い合わせに対する応答があるか否かで、アクティブシャッターメガネ１０７が有効であるか否かを判定することもできる。
【０２１８】
立体映像再生装置８０１は、有効なアクティブシャッターメガネ１０７の存在が確認できた場合（Ｓ１１０１でＹ）、立体映像の再生を継続する（Ｓ１１０５）。存在が確認できない場合（Ｓ１１０１でＮ）、システムコントローラ９０８は、データ伝送インタフェース２０５から平面映像信号を送信する制御を行う。
【０２１９】
具体的には、システムコントローラ９０８は、デコーダ２１３に対して、立体映像ストリームから左眼用映像または右眼用映像のみを復号するよう設定変更する。または、システムコントローラ９０８は、デコーダ２１３が左右双方の映像を復号する設定は変更せず、左右双方の映像が格納されているバッファメモリ２０６からデータ伝送インタフェース２０５へのデータ転送設定を、右眼用映像のみ、または左眼用映像のみを転送するように変更する。
【０２２０】
これにより、ユーザは、左眼用映像のみ、または右眼用映像のみの平面（２Ｄ）映像を、アクティブシャッターメガネ１０７を装着しない場合と同様に、左右双方の眼で視聴することができる（Ｓ１１０２）。
【０２２１】
なお、ユーザのアクティブシャッターメガネ１０７の装着忘れ、または、ユーザの意図しないアクティブシャッターメガネ１０７の電池切れなどに起因して、アクティブシャッターメガネ１０７が有効ではないと判定されることが考えられる。
【０２２２】
そこで、平面映像再生への切り替え（Ｓ１１０２）の後、システムコントローラ９０８は、バッファメモリ２０６に格納している右眼用映像または左眼用映像に、アクティブシャッターメガネ１０７が有効状態でないことに起因する状態の発生を示す警告メッセージが重ねて表示されるように立体映像信号を生成してもよい（Ｓ１１０３）。
【０２２３】
なお、警告メッセージは立体映像表示装置８０２に生成させてもよい。この場合、立体映像再生装置８０１は、立体映像表示装置８０２に指示することで、当該警告メッセージと、立体映像再生装置８０１によって生成された映像とを重ねて表示させればよい。
【０２２４】
また、例えば、所定の期間の経過後、システムコントローラ９０８は、立体映像ストリームの送信元からメモリコントローラ２１６への立体映像ストリームの転送を中断し、かつ、メモリコントローラ２１６からデコーダ２１３への立体映像ストリームの転送、または、メモリコントローラ２１６からデータ伝送インタフェース２０５への平面映像信号の転送を中断してもよい（Ｓ１１０４）。
【０２２５】
（実施の形態１および２の補足）
以上説明したように、実施の形態１および２では、映像の表示側の装置（立体映像表示装置１０２または立体映像再生装置８０１）は、映像信号処理装置１０を備える。また、映像信号処理装置１０は、映像信号処理装置１０の外部からの情報であるアクティブシャッターメガネ１０７からの所定の信号を受信しない場合、立体映像表示から平面映像表示に切り替わるように動作する。
【０２２６】
従って、映像信号処理装置１０の機能的な構成は、例えば図１５Ａのように表現することもできる。
【０２２７】
図１５Ａは、実施の形態１および２における映像信号処理装置１０の機能的な構成の一例を示すブロック図である。
【０２２８】
図１５Ａに示すように、映像信号処理装置１０は、図２および図１１に示す構成要素に加え、通信部１７を備えている。
【０２２９】
通信部１７は、映像信号処理装置１０の外部からの情報であるアクティブシャッターメガネ１０７からの所定の信号を受信可能である。通信部１７は、例えば、実施の形態１における立体映像表示装置１０２の通信インタフェース３０３によって実現することができる。また、通信部１７は、実施の形態２における立体映像再生装置８０１の通信インタフェース９０１によって実現することができる。
【０２３０】
図１５Ａに示す映像信号処理装置１０において、判定部１３は、通信部１７がアクティブシャッターメガネ１０７からの所定の信号を受信しない状態が、所定の期間継続した場合、アクティブシャッターメガネ１０７有効状態でないと判定する。
【０２３１】
また、判定部１３は、通信部１７がアクティブシャッターメガネ１０７に問合せ信号を送信し、かつ、当該問合せ信号に対する応答としての所定の信号を通信部１７が受信しない場合、アクティブシャッターメガネが有効状態でないと判定することもできる。
【０２３２】
また、判定部１３は、アクティブシャッターメガネ１０７からの所定の信号の受信の有無以外に基づいてアクティブシャッターメガネが有効状態であるか否かを判定してもよい。
【０２３３】
例えば、映像信号処理装置１０の外部からの情報の取得結果として、映像信号処理装置１０の外部からの情報である撮像データの解析結果に従って、アクティブシャッターメガネ１０７が有効状態であるか否かを判定してもよい。
【０２３４】
図１５Ｂは、実施の形態１および２における映像信号処理装置１０の機能的な構成の別の一例を示すブロック図である。
【０２３５】
図１５Ｂに示すように、映像信号処理装置１０は、図２および図１１に示す構成要素に加え、撮像データ取得部１８を備えている。
【０２３６】
撮像データ取得部１８は、出力部１２から出力された立体映像信号に基づく映像が表示されている画面の前方を撮像することで得られた撮像データを取得する。
【０２３７】
撮像データ取得部１８は、例えば、実施の形態１における立体映像表示装置１０２の通信インタフェース３０３によって実現することができる。また、撮像データ取得部１８は、例えば、実施の形態２における立体映像再生装置８０１の通信インタフェース９０１によって実現することができる。
【０２３８】
具体的には、撮像データ取得部１８は、例えば立体映像表示装置１０２（８０２）のディスプレイ３０６（１００６）の上部に設置されたカメラが、ディスプレイ３０６（１００６）の前方を撮像することで得られた撮像データを取得する。
【０２３９】
判定部１３は、当該撮像データを解析することで、例えばアクティブシャッターメガネ１０７が人の顔に装着されている状態が確認された場合、アクティブシャッターメガネ１０７が有効状態であると判定する。
【０２４０】
また、判定部１３は、当該撮像データを解析することで、例えばアクティブシャッターメガネ１０７が立体映像の視認が可能な姿勢をしているか否か、または、アクティブシャッターメガネ１０７がシャッター開閉動作をしているか否かなどを確認したうえで、有効状態であるか否かを判定してもよい。
【０２４１】
なお、撮像データに示されるメガネが、アクティブシャッターメガネ１０７であるか否かの判断手法としては、一般的なパターンマッチングのほか、当該メガネのレンズに相当する部分が液晶シャッターであるか否かを画像解析によって確認する手法などがある。
【０２４２】
このように、判定部１３が、撮像データに基づいてアクティブシャッターメガネ１０７が有効状態であるか否かを判定する場合、アクティブシャッターメガネ１０７は、映像の表示側の装置に所定の信号を送信する機能を有していなくてもよい。つまり、当該判定部１３は、既存のアクティブシャッターメガネ１０７が有効状態であるか否かを判定することができる。
【０２４３】
なお、上記の通信部１７および撮像データ取得部１８はともに、外部情報取得部と称することもでき、かつ、判定部１３に内包される機能として映像信号処理装置１０に備えられてもよい。
【０２４４】
また、実施の形態１および２において、アクティブシャッターメガネ１０７は、ユーザの左眼および右眼の視界を交互に遮る動作を行っている動作期間に所定の信号を送信するとした。
【０２４５】
また、“動作期間”とは、例えば、アクティブシャッターメガネ１０７の電源がオンである期間である。つまり、アクティブシャッターメガネ１０７の電源スイッチがオンにされてからオフにされるまでの期間に、アクティブシャッターメガネ１０７は、自発的かつ一定期間毎に所定の信号を送信すればよく、または、映像の表示側の装置からの問合せ信号への応答として所定の信号を送信すればよい。
【０２４６】
ここで、アクティブシャッターメガネ１０７から映像の表示側の装置へ、赤外線のような指向性の高い通信方式で所定の信号を送信する場合を想定する。この場合、アクティブシャッターメガネ１０７がユーザから外された場合であっても、アクティブシャッターメガネ１０７が、所定の信号を受信すべき装置の方向（一般には表示装置の画面に正対する方向）を向いていれば、アクティブシャッターメガネ１０７からの所定の信号は当該装置に受信される。
【０２４７】
また、アクティブシャッターメガネ１０７から映像の表示側の装置へ、Ｂｌｕｅｔｏｏｔｈのような無指向性の通信方式で所定の信号を送信する場合を想定する。この場合、アクティブシャッターメガネ１０７がユーザから外され、かつ、所定の信号を受信すべき装置の方向を向いていない場合であっても、アクティブシャッターメガネ１０７の電源がＯＮであれば、アクティブシャッターメガネ１０７から所定の信号が送信され、当該装置に受信されることも考えられる。
【０２４８】
つまり、アクティブシャッターメガネ１０７が、アクティブシャッターメガネ１０７がユーザから外されており、本来的には有効状態ではないと判定されるべき状態であっても、何らかの条件を満たした場合に、有効状態であると判定されることも考えられる。
【０２４９】
そこで、アクティブシャッターメガネ１０７に、ユーザに装着されている状態であるか否かを検出する検出部を備えてもよい。
【０２５０】
図１６は、実施の形態１および２におけるアクティブシャッターメガネ１０７の機能的な構成の別の一例を示すブロック図である。
【０２５１】
図１６に示すアクティブシャッターメガネ１０７は、通信部４１と検出部４５とを備える。通信部４１は、例えば通信インタフェース４０１によって実現され、所定の信号を送信することができる。また、通信部４１は、映像の表示側の装置から送信される問合せ信号を受信することもできる。
【０２５２】
検出部４５は、例えばアクティブシャッターメガネ１０７がユーザに装着されている装着状態であるか否かを検出するセンサである。
【０２５３】
検出部４５は、例えば、アクティブシャッターメガネ１０７がユーザに装着された場合にユーザと接触する部分に配置された接触式センサで実現される。
【０２５４】
また、検出部４５は、例えばアクティブシャッターメガネ１０７のフレームに生じる変形量または応力を検出するセンサであってもよい。この場合、判定部１３は、検出した値が閾値を超えた場合に、アクティブシャッターメガネ１０７が装着状態であると判定することができる。
【０２５５】
通信部４１は、アクティブシャッターメガネ１０７が動作期間であって、かつ、検出部４５による検出結果が、装着状態であることを示す場合、自発的に、または、問合せ信号への応答として所定の信号を送信する。
【０２５６】
つまり、アクティブシャッターメガネ１０７は、動作期間であっても、装着状態でない場合は、所定の信号の送信を停止することができる。
【０２５７】
また、アクティブシャッターメガネ１０７がユーザに正しく装着され、かつ、アクティブシャッターメガネ１０７が、アクティブシャッターメガネ１０７からの所定の信号を受信すべき装置の方向を向いている場合を想定する。
【０２５８】
この場合であっても、例えば、ユーザが横になっている場合など、アクティブシャッターメガネ１０７の左右方向の、左眼用映像と右眼用映像とに基づく立体映像における左右方向に対する傾き量が所定の範囲を超えた場合、ユーザは、立体映像を明瞭に視認することができない。
【０２５９】
そこで、当該傾き量を検出する傾きセンサを、検出部４５として採用してもよい。
【０２６０】
この場合、通信部４１は、アクティブシャッターメガネ１０７が動作期間であって、かつ、検出部４５による検出結果に示される傾き量が所定の範囲内である場合、自発的に、または、問合せ信号への応答として所定の信号を送信する。
【０２６１】
つまり、アクティブシャッターメガネ１０７は、動作期間であっても、アクティブシャッターメガネ１０７の左右方向の、立体映像における左右方向に対して大きく傾いた場合に、所定の信号の送信を停止することができる。
【０２６２】
なお、立体映像における左右方向が水平方向である場合、アクティブシャッターメガネ１０７の左右方向の水平方向からの傾きが、例えば４５度を越えた場合、アクティブシャッターメガネ１０７は、所定の信号の送信を停止する。
【０２６３】
また、検出部４５は、上述の装着状態であるか否かを検出する機能、および、アクティブシャッターメガネ１０７の傾き量を検出する機能の双方を有してもよい。
【０２６４】
このように、アクティブシャッターメガネ１０７が、検出部４５を備えることにより、映像信号処理装置１０における、アクティブシャッターメガネ１０７が有効状態であるか否かの判定の精度を向上させることができる。
【０２６５】
また、実施の形態１および２では、映像信号処理装置１０は、立体映像表示装置（１０２）または立体映像再生装置（８０１）のいずれか一方に備えられている。しかし、映像信号処理装置１０は、立体映像表示装置および立体映像再生装置の双方によって実現されてもよい。
【０２６６】
例えば、実施の形態１において、立体映像再生装置１０１のシステムコントローラ２０８が、アクティブシャッターメガネ１０７が有効状態であるか否かを判定する判定部１３としての処理を実行し、立体映像表示装置１０２のコントローラ３０２が、出力部１２からの出力信号を立体映像信号から平面映像信号に切り替える制御部１４としての処理を実行してもよい。
【０２６７】
さらに、映像信号処理装置１０は、立体映像表示装置および立体映像再生装置の双方から物理的に独立した装置として実現されてもよい。
【０２６８】
例えば、映像信号処理装置１０を、映像信号の流れにおいて立体映像再生装置と立体映像表示装置との間に配置する。この場合、映像信号処理装置１０は、アクティブシャッターメガネ１０７が有効状態である場合は、立体映像再生装置から取得した立体映像信号をそのまま立体映像表示装置に送信する。
【０２６９】
また、映像信号処理装置１０は、アクティブシャッターメガネ１０７が有効状態でない場合、例えば、立体映像再生装置から取得した立体映像信号のうち、左眼用映像を示す映像信号（Ｌ１、Ｌ２、Ｌ３、．．．）のみを、Ｌ１、Ｌ１、Ｌ２、Ｌ２、Ｌ３、Ｌ３．．．というように立体映像表示装置に送信する。これにより、立体映像表示装置に、見かけ上、平面映像を表示させることができる。
【０２７０】
また、映像信号処理装置１０は、立体映像信号を立体映像表示装置に送信し、かつ、左眼用映像のみ、または右眼用映像のみが２回ずつ繰り返してディスプレイへ転送する制御が立体映像表示装置で行われるように、当該立体映像表示装置に指示してもよい。
【０２７１】
以上、本発明の映像信号処理装置およびアクティブシャッターメガネについて、実施の形態１、２およびその補足に基づいて説明した。しかしながら、本発明は、これらの説明内容に限定されるものではない。本発明の趣旨を逸脱しない限り、当業者が思いつく各種変形を上記実施の形態１、２およびその補足のいずれかに施したもの、あるいは、上記説明された複数の構成要素を組み合わせて構築される形態も、本発明の範囲内に含まれる。
【０２７２】
例えば、実施の形態１および２では、１つのアクティブシャッターメガネ１０７が、有効状態であるか否かの判定対象であった。しかし、複数のアクティブシャッターメガネ１０７が判定対象であってもよい。
【０２７３】
例えば、制御部１４は、判定部１３による判定結果が、複数のアクティブシャッターメガネ１０７のうちの少なくとも１つが有効状態であることを示す場合、出力部１２からの出力信号を立体映像信号から平面映像信号に切り替えなくてもよい。
【０２７４】
すなわち、少なくとも一人の視聴者が、立体視が可能な状態であれば、他の視聴者が立体視可能であるか否かに関わらず、立体映像信号の出力を継続してもよい。
【０２７５】
また、複数の視聴者の全てが立体映像を視認する必要がある場合などは、制御部１４は、複数のアクティブシャッターメガネ１０７のうちのいずれかが有効状態ではなくなった場合、出力部１２からの出力信号を立体映像信号から平面映像信号に切り替えてもよい。
【０２７６】
また、制御部１４は、複数のアクティブシャッターメガネ１０７のうち、有効状態ではないアクティブシャッターメガネ１０７が過半数となった場合に、出力部１２からの出力信号を立体映像信号から平面映像信号に切り替えてもよい。
【産業上の利用可能性】
【０２７７】
本発明は、立体映像を表示させる立体映像表示装置、および、立体映像ストリームを復号することで立体映像信号を生成する立体映像再生装置における映像信号処理装置として適用可能である。特に、立体映像を構成する左右の映像信号を交互に出力し、この左右信号による映像を、アクティブシャッターメガネを用いて交互に左右眼にて視聴させる装置に用いられる映像信号処理装置、および当該アクティブシャッターメガネとして適用可能である。
【符号の説明】
【０２７８】
１０  映像信号処理装置
１１  映像信号取得部
１２  出力部
１３  判定部
１４  制御部
１７、４１  通信部
１８  撮像データ取得部
４５  検出部
１００、８００  映像表示システム
１０１、８０１  立体映像再生装置
１０２、８０２  立体映像表示装置
１０３  サーバ
１０４  光ディスク
１０５  アンテナ
１０６  メモリカード
１０７  アクティブシャッターメガネ
２０１  ディスクドライブ
２０２  チューナー
２０３  ネットワーク通信インタフェース
２０４  メモリデバイスインタフェース
２０５、３０１、１００１  データ伝送インタフェース
２０６  バッファメモリ
２０７  ＨＤドライブ
２０８、４０３、９０８  システムコントローラ
２０９  フラッシュメモリ
２１０、３０３、４０１、９０１、１００３  通信インタフェース
２１２  ストリームコントローラ
２１３  デコーダ
２１４  ＡＶ入出力回路
２１５  システムバス
２１６  メモリコントローラ
３０２、１００２  コントローラ
３０４  メモリインタフェース
３０５  メモリ
３０６、１００６  ディスプレイ
４０４  アクティブシャッタードライブ回路
４０５  アクティブシャッター
【図１】
2011223558.tif 000003
【図２】
2011223558.tif 000004
【図３】
2011223558.tif 000005
【図４】
2011223558.tif 000006
【図５】
2011223558.tif 000007
【図６】
2011223558.tif 000008
【図７】
2011223558.tif 000009
【図８Ａ】
2011223558.tif 000010
【図８Ｂ】
2011223558.tif 000011
【図９】
2011223558.tif 000012
【図１０】
2011223558.tif 000013
【図１１】
2011223558.tif 000014
【図１２】
2011223558.tif 000015
【図１３】
2011223558.tif 000016
【図１４】
2011223558.tif 000017
【図１５Ａ】
2011223558.tif 000018
【図１５Ｂ】
2011223558.tif 000019
【図１６】
2011223558.tif 000020